(57)【要約】【課題】蓄光シートに紫外光を照射する光学ペンと、紫外光が照射された部分が発光する蓄光シートを有する光表示装置とを提供する。【解決手段】紫外光を発光する光学ペンと、前記紫外光を受けて発光する蓄光シートを支持板に貼り付けた光表示装置を有する。光学ペンは、筒状のペン本体と、ペン本体の先端から紫外光を発光する発光ダイオードと、ペン本体に内蔵され発光ダイオードに所定の電圧を印加する電池と、電池と発光ダイオードを接続する配線と、配線に接続され発光ダイオードの発光と発光停止を制御するスイッチとを有する。光表示装置は、支持板と、支持板の一面に貼り付けられる蓄光材を練り込んだ蓄光シートとを有する。支持板の第１の面には白色の反射層が設けられ、反射層上に蓄光シートが形成されている。【選択図】図１
2007133118.tif 000002
【特許請求の範囲】
【請求項１】
支持板と、前記支持板の第１の面に貼り付けられ、かつ紫外光を受けて発光する蓄光材を練り込んだ蓄光シートとを有することを特徴とする光表示装置。
【請求項２】
前記支持板の第１の面には白色の反射層が設けられ、前記反射層上に前記蓄光シートが形成されていることを特徴とする請求項１に記載の光表示装置。
【請求項３】
前記支持板の第１の面は平坦な面になっていることを特徴とする請求項１に記載の光表示装置。
【請求項４】
第１の面が平坦となる支持板と、
前記支持板の第１の面に貼り付けられ、かつ紫外光を受けて発光する蓄光材を練り込んだ蓄光シートと、
前記支持板の一側に開閉自在に取り付けられ、閉動作時前記蓄光シートを覆う遮光性のカバーとを有することを特徴とする光表示装置。
【請求項５】
前記カバーの前記支持板に重なる面の周縁には全周に亘って弾力性のある遮光層が設けられ、前記カバーの閉動作時、前記蓄光シートは前記カバー及び前記遮光層によって外部の光が遮光されるように構成されていることを特徴とする請求項４に記載の光表示装置。
【請求項６】
前記支持板の第１の面には白色の反射層が設けられ、前記反射層上に前記蓄光シートが形成されていることを特徴とする請求項４に記載の光表示装置。
【請求項７】
平板構造の支持板と、
前記支持板の第１の面に貼り付けられ、かつ紫外光を受けて発光する蓄光材を練り込んだ蓄光シートと、
前記支持板を収容する遮光性材質で形成されたケースとを有し、
前記支持板を前記ケースに収容した状態では前記蓄光シートは前記ケースによって遮光されるように構成されていることを特徴とする光表示装置。
【請求項８】
前記支持板の第１の面には白色の反射層が設けられ、前記反射層上に前記蓄光シートが形成されていることを特徴とする請求項７に記載の光表示装置。
【請求項９】
支持板と、
前記支持板の第１の面に貼り付けられ、かつ紫外光を受けて発光する蓄光材を練り込んだ蓄光シートとを有し、
前記支持板には柄が設けられていることを特徴とする光表示装置。
【請求項１０】
前記支持板の第１の面には白色の反射層が設けられ、前記反射層上に前記蓄光シートが形成されていることを特徴とする請求項９に記載の光表示装置。
【請求項１１】
枠体からなる支持板と、
前記支持板に周縁が貼り付けられ、かつ紫外光を受けて発光する蓄光材を練り込んだ蓄光シートとを有することを特徴とする光表示装置。
【請求項１２】
筒状のペン本体と、
前記ペン本体の先端側に内蔵され、前記ペン本体の先端から外部に紫外光を発光する発光ダイオードと、
前記ペン本体に内蔵され、前記発光ダイオードに所定の電圧を印加する電池と、
前記電池と前記発光ダイオードを接続する複数の配線と、
前記配線に接続され、前記発光ダイオードの発光と発光停止を制御するスイッチとを有することを特徴とする光学ペン。
【請求項１３】
前記スイッチは弾力的にオン・オフ動作をする可動釦を有し、前記スイッチは前記ペン本体内において前記発光ダイオードを前記可動釦を介して支持し、前記発光ダイオードを前記ペン本体内に押し込み動作させたときにのみ前記発光ダイオードは発光するように構成されていることを特徴とする請求項１２に記載の光学ペン。
【発明の詳細な説明】
【技術分野】
【０００１】
本発明は、光表示装置及びその光表示装置における蓄光シートの性質を専ら利用する光学ペンに係わり、特に、光学ペンから発光される紫外光（紫外線）を光表示装置の蓄光シート面に照射して所望の文字、記号、パターン等を描き、その後蓄光シート面から発光されて浮かび上がる前記文字、記号、パターン等を表示する光表示技術に適用して有効な技術に関する。
【背景技術】
【０００２】
照明方法の一つとして、蛍光塗料または蓄光塗料を、物体の表面に印刷等の方法で形成し、その後、近紫外線領域でグロー発光する光線を照射して前記蛍光塗料または蓄光塗料を励起させ、その自己発光によって照明を行う方法が知られている（例えば、特許文献１）。
【０００３】
【特許文献１】特開平８−１３７４１９号公報
【発明の開示】
【発明が解決しようとする課題】
【０００４】
発光ダイオード（ＬＥＤ）の実装検討している中で、波長３８０ｎｍ〜４８０ｎｍ前後の紫外線（紫外光）から青色光が、蓄光材を効果的に発光させることが分かった。
そこで、本発明者は、蓄光材をシート状にしたものに紫外光を集光させ、かつその紫外光をシート面に沿って移動させることによって所望の文字、記号、パターン等をシート面から所定時間自己発光させることができることに気が付き本発明をなした。
本発明の目的は、表記した文字、記号あるいは所望のパターンを所定時間自己発光によって表示できる光表示装置を提供することにある。
本発明の他の目的は、表記した文字、記号あるいは所望のパターンを所定時間暗闇でも効果的に表示できる光表示装置を提供することにある。
本発明の他の目的は、前記光表示装置に簡単に文字、記号あるいは所望のパターンを表記できる光学ペンを提供することにある。
本発明の前記ならびにそのほかの目的と新規な特徴は、本明細書の記述および添付図面からあきらかになるであろう。
【課題を解決するための手段】
【０００５】
本願において開示される発明のうち代表的なものの概要を簡単に説明すれば、下記のとおりである。
（１）光表示装置は、第１の面が平坦な面となる支持板と、前記支持板の第１の面に貼り付けられ、かつ紫外光を受けて発光（自己発光）する蓄光材を練り込んだ蓄光シートとを有することを特徴とする。また、前記支持板の一側に開閉自在に取り付けられ、閉動作時前記蓄光シートを覆う遮光性のカバーとを有している。また、前記支持板の第１の面に白色の反射層が設けられ、前記反射層上に前記蓄光シートが形成されている。
【０００６】
一方、光表示装置の蓄光シートに文字、記号あるいは所望のパターンを表記するには、光学ペンを使用する。前記光学ペンは、筒状のペン本体と、前記ペン本体の先端側に内蔵されかつ前記ペン本体の先端から外部に紫外光を発光する発光ダイオードと、前記ペン本体に内蔵されかつ前記発光ダイオードに所定の電圧を印加する電池と、前記電池と前記発光ダイオードを接続する複数の配線と、前記配線に接続されかつ前記発光ダイオードの発光と発光停止を制御するスイッチとを有する構造になっている。
【０００７】
前記光表示装置で表示する場合には、先ず、前記光学ペンを使用し、光学ペンの先端から紫外光を発光させた状態で光表示装置の蓄光シート面に沿って移動させながら所望の文字、記号、パターン等を描く。紫外光を受けた蓄光シート部分は励起して発光（自己発光）する。この結果、光学ペンを光表示装置から外した状態において、所定時間自己発光が続き、光表示装置によって所望の文字、記号、パターン等が表示される。
【０００８】
（２）前記（１）の構成における前記光表示装置において、前記カバーの支持板に重なる面の周縁には全周に亘って弾力性のある遮光層が設けられ、前記カバーの閉動作時、前記蓄光シートは前記カバー及び前記遮光層によって遮光されて外部の光が到達しないように構成されていることを特徴とする。
【０００９】
（３）前記（１）の構成における前記光学ペンにおいて、前記スイッチは弾力的にオン・オフ動作をする可動釦を有し、前記スイッチは前記ペン本体内において前記発光ダイオードを前記可動釦を介して支持し、前記発光ダイオードを前記ペン本体内に押し込み動作させたときにのみ前記発光ダイオードは発光するように構成されている。
【００１０】
（４）前記（１）の構成における前記光表示装置において、光表示装置は、平板構造の支持板と、前記支持板の第１の面に貼り付けられ、かつ紫外光を受けて発光する蓄光材を練り込んだ蓄光シートと、前記支持板を収容する遮光性材質で形成されたケースとを有し、前記支持板を前記ケースに収容した状態では前記蓄光シートは前記ケースによって遮光されるように構成されている。
【００１１】
（５）前記（１）の構成における前記光表示装置において、光表示装置は、支持板と、支持板の第１の面に貼り付けられ、かつ紫外光を受けて発光する蓄光材を練り込んだ蓄光シートとを有し、前記支持板には柄が設けられてプラカード型の光表示装置になっている。
【００１２】
（６）前記（１）の構成における前記光表示装置において、光表示装置は、枠体からなる支持板と、前記支持板に周縁が貼り付けられ、かつ紫外光を受けて発光する蓄光材を練り込んだ蓄光シートとを有することを特徴とする。
【発明の効果】
【００１３】
本願において開示される発明のうち代表的なものによって得られる効果を簡単に説明すれば、下記のとおりである。
【００１４】
前記（１）の手段によれば、（ａ）光学ペンの先端から紫外光を発光させた状態で蓄光シート面に沿って光学ペンを移動させながら所望の文字、記号、パターン等を描くことができる。紫外光を受けた蓄光シート部分は励起して自己発光するため、光表示装置は前記文字、記号、パターン等を所定時間表示することができる。
【００１５】
（ｂ）蓄光シートは支持板の第１の面に形成された白色の反射層上に形成されていることから、蓄光シートで発生した光の一部は直接大気中に放射され、反射層に向かう光は反射層で反射されて蓄光シートを通過して大気中に放射されるため、表示される文字等が明瞭になる。
【００１６】
（ｃ）光表示装置の蓄光シートに表示された文字等は時間を経るにしたがって光量が減じる。従って、光学ペンで重ねて蓄光シートに表記を行えば、後から表記した文字等は先に描いた文字等よりも強い光量を放って表示が行える。この時間差の違いによる光量の大小から、種々の表示も行える実益がある。
【００１７】
（ｄ）蓄光シートへの表記後、カバーで所定時間蓄光シートを覆っておけば、蓄光シート面は表示のない状態となることから、再び光学ペンによる表記が可能な状態になる。
【００１８】
（ｅ）光学ペンのスイッチのオン・オフ動作によって発光ダイオードの発光と発光停止を制御することができる。
【００１９】
前記（２）の手段によれば、前記（１）の構成による効果に加えて、カバーには遮光層が設けられ、カバーの閉動作時、蓄光シートはカバー及び遮光層によって完全に遮光される構成になっていることから、所定時間後の蓄光シート面は自己発光する部分もなく、光学ペンによる新たな表記が可能な状態になる効果がある。
【００２０】
前記（３）の手段によれば、前記（１）の構成による効果に加えて、光学ペンにおいては、発光ダイオードをペン本体内に押し込み動作させたときにのみ発光ダイオードが発光する構成になっている。従って、光表示装置への表記の際は、発光ダイオードの先端を蓄光シートに押し付けて発光ダイオードをペン本体内に押し込むようにして発光ダイオードを発光させて表記を行う。この結果、光学を扱う表記者が他の人の目に向けて、あるいは自身の目（瞳）に向けて紫外光を発光させるような事故発生を防止することができる。
【００２１】
前記（４）の手段によれば、前記（１）の構成による効果を有する。前記（４）の手段における蓄光シートの遮光は、前記のようなカバー構造ではなく、平板構造の支持板を収容するケースで遮光を行う。即ち、蓄光シートを一面に貼り付けた支持板を遮光性材質で形成されたケースに所定時間収容することによって、所定時間後の蓄光シート面は自己発光する部分もなく、光学ペンによる新たな表記が可能な状態になる。
【００２２】
前記（５）の手段によれば、光表示装置は把持できる柄を有するプラカード型の光表示装置になっていることから、柄を持って光表示装置を高く掲げることによって集まっている多くの人々に表示を見せることができる。
【００２３】
前記（６）の手段によれば、光表示装置の支持板は枠体となっていることから、枠内の蓄光シート部分の一面に光学ペンで表記すると、その表記した文字等は蓄光シートの裏側の面から見ることができるという効果がある。
【発明を実施するための最良の形態】
【００２４】
以下、図面を参照して本発明の実施の形態を詳細に説明する。なお、発明の実施の形態を説明するための全図において、同一機能を有するものは同一符号を付け、その繰り返しの説明は省略する。
【実施例１】
【００２５】
図１乃至図５は本発明の実施例１である光表示装置及び光学ペンに係わる図である。図１は光表示装置及び光学ペンを示す模式図、図２は光学ペンの模式的断面図、図３は光表示装置の一部を示す斜視図、図４は光表示装置の一部を示す断面図、図５は光表示装置に光学ペンを用いて線を描く状態を示す斜視図である。
【００２６】
図１には、光表示装置１と、この光表示装置１に文字、記号あるいは所望のパターン等を描く光学ペン３０を示してある。
光表示装置１は、図１に示すように、四角形の支持板２を有している。この支持板２は、図４に示すように、その第１の面２ａに反射層３が設けられている。そして、この反射層３上に蓄光シート４が貼り付けられている。支持板２は、例えば、アクリル樹脂板からなっている。厚さは特に限定はされないが、使用に際して変形しない程度のものであればよい。
【００２７】
反射層３は蓄光シート４から放射（発光）される光を反射する層であればよく、例えば、厚さ０．５〜１．０ｍｍ程度の白色の層で形成されている。この反射層３は白色レジスト等を印刷しかつ硬化処理して形成されている他、反射率の高いＡｌやＡｇの金属も有り得る。
【００２８】
蓄光シート４は、蓄光材を練り込んだシートで形成されている。図１では蓄光シート４には点々を施して示してある。蓄光材とは、アルミン酸塩化合物を主成分に希土類元素の賦活剤を添加焼成したものであり、例えば、ＳｒＡｌ２Ｏ４：Ｅｕ，Ｄｙ（キレート材）である。
【００２９】
蓄光シート４は紫外光（紫外線）が照射されると、照射された部分は励起され、その後照射された部分は発光（自己発光）する。発光の光量は時間を経るうちに徐々に低下し、所定時間経ると、目視ができない状態となる。目視ができなくなる所定時間とは、目視する環境の照度及び蓄光シート４に照射する紫外光の出力によっても変化する。後述する光学ペンに内蔵する電池の出力が３．２Ｖの場合、所定時間は、５〜２０分程度となる（蛍光灯等による照度３００ルクス程度の明るさ）。
【００３０】
従って、光学ペン３０で蓄光シート４に描いた文字、記号及びパターン等をこの所定の時間見て楽しむことができる。また、この表示内容を他の人にも示すことができる。蓄光シート４の領域が表示面（表記面）となる。図１では蓄光シート４の表面に光学ペン３０によって曲線５が描かれている。
【００３１】
また、光表示装置１の蓄光シート４に表示された文字等は時間を経るにしたがって光量が減じる。従って、光学ペン３０で重ねて蓄光シート４に表記を行えば、後から表記した文字等は先に描いた文字等よりも強い光量を放って表示が行える。この時間差の違いによる光量の大小から、種々の表示も行える実益がある。
【００３２】
光表示装置１の一側には、図１に示すように、平板構造のカバー１０が配置されている。このカバー１０は、図３に示すように、蝶番１１で支持板２の一側に開閉自在に取り付けられている。カバー１０は支持板２と同じ大きさとなり、閉じると支持板２の第１の面２ａ全体を覆うようになっている。カバー１０は遮光性の材質で形成され、閉じた状態では外部の光が蓄光シート４に到達しないようになっている。このようにカバー１０を閉じた状態にしておけば、蓄光シート４には光が届かないことから、所定時間経過後の状態では、光学ペン３０によって描いたパターン等（例えば、図１に示す曲線５）は消えてしまうことになる。この結果、文字、記号及びパターン等が表記（表示）されていない蓄光シート４に新たな文字、記号及びパターン等を光学ペン３０によって表記することができる状態になる。
【００３３】
光学ペン３０は、光表示装置１の蓄光シート４の性質を専ら利用して蓄光シート４に紫外光で文字等を表記させる光学ペン３０である。即ち、蓄光シート４は、波長４００ｎｍ前後の紫外線（紫外光）を受光すると、効果的に自己発光する性質を有する。そこで、光学ペン３０には波長が４００ｎｍとなる発光ダイオードが組み込まれ、光学ペン３０の先端から紫外光を発光するようになっている。
【００３４】
図２に光学ペン３０の断面構造を模式的に示す。光学ペン３０は、図２に示すように、筒状のペン本体３１と、ペン本体３１の先端側に内蔵される発光ダイオード３２と、ペン本体３１内に内蔵される電池３３と、電池３３のアノード電極及びカソード電極と前記発光ダイオード３２のアノード電極及びカソード電極を接続する配線３４，３５と、配線３５の途中に直列に接続されたスイッチ３６とを有している。そして、スイッチ３６のスライド釦３７をスライドさせることによって発光ダイオード３２は発光（オン）または発光停止（オフ）の状態となる。図２において、スライド釦３７をオン（ＯＮ）側にスライドさせることによって発光ダイオード３２は紫外光を発光し、スライド釦３７をオフ（ＯＦＦ）側にスライドさせることによって発光ダイオード３２は発光停止の状態になる。
【００３５】
ペン本体３１は、例えば、図示はしないがペン本体３１の後端部分が、ネジ止めされる構造となり、後端部分が取り外しできるようになっている。後端部分を取り外すことによって電池３３の交換が可能になる。図２では、電池３３は１本としてあるが、これに限定されるものではなく、直列に複数本配置する構造等、他の配列構造でもよいことは勿論である。
【００３６】
前記光学ペン３０を把持し、スイッチ３６をオン動作させて光学ペン３０の先端から紫外光を発光させる状態で、図１に示すように、ペン本体３１を蓄光シート４の表面に沿って移動させることによって、移動させた軌跡に相当する蓄光シート部分が発光（自己発光）する。図５（ａ）乃至（ｅ）は光学ペン３０を移動させた状態において蓄光シート４の発光状態を示すものである。図５（ａ）の状態ではペン本体３１が当てられていないため、蓄光シート４においては発光が起きない。従って、図５（ａ）では蓄光シート４の表面は全体が薄黒い面で表示されている。図５（ｂ）乃至図５（ｄ）の状態は光学ペン３０を蓄光シート４の表面に沿って順次移動させた状態での蓄光シート４の発光状態を示す図である。薄黒い面で表示される蓄光シート４の表面に示す白い線分が発光部分４０である。図５（ｅ）では、光学ペン３０を蓄光シート４から外した状態である。この状態でも所定の時間は発光部分４０は目視できる状態にある。
【００３７】
従って、図１に示すように、光学ペン３０で光表示装置１の蓄光シート４の面（表記面）に光学ペン３０によって文字、記号及び所定のパターン（含む絵）を表記できる。そして、所定の時間は、蓄光シート４の面（表示面）に、その文字、記号及び所定のパターン（含む絵）を表示することができる。従って、蓄光シート４の表面は、表記面となるとともに表示面となる。
【００３８】
実施例１によれば以下の効果を有する。
（１）光学ペン３０の先端から紫外光を発光させた状態で光表示装置１の蓄光シート４の表面に沿って光学ペン３０を移動させながら所望の文字、記号、パターン等を描くことができる。紫外光を受けた蓄光シート部分は励起して自己発光するため、光表示装置１の蓄光シート４は前記文字、記号、パターン等を所定時間表示することができる。
【００３９】
（２）蓄光シート４は支持板２の第１の面２ａに形成された白色の反射層３上に形成されていることから、蓄光シート４で発生した光の一部は直接大気中に放射され、反射層３に向かう光は反射層３で反射されて蓄光シート４を通過して大気中に放射されるため、表示される文字等が明瞭になる。
【００４０】
（３）光表示装置１の蓄光シート４に表示された文字等は時間を経るにしたがって光量が減じる。従って、光学ペン３０で重ねて蓄光シート４に表記を行えば、後から表記した文字等は先に描いた文字等よりも強い光量を放って表示が行える。この時間差の違いによる光量の大小から、種々の表示も行える実益がある。
【００４１】
（４）蓄光シート４への表記後、カバー１０で所定時間蓄光シート４を覆っておけば、蓄光シート面は表示のない状態となることから、再び光学ペン３０による表記が可能な状態になる。
【００４２】
（５）光学ペン３０のスイッチ３６のオン・オフ動作によって発光ダイオード３２の発光と発光停止を制御することができる。
【実施例２】
【００４３】
図６乃至図８は本発明の実施例２である光学ペンに係わる図である。図６は光学ペンの模式的断面図、図７は光学ペンのオン・オフ動作による紫外光発光状態及び紫外光発光停止状態を示す模式図、図８は光学ペンの具体例を示す模式図である。
【００４４】
実施例２では、光学ペン３０を使用しない時は紫外光を発光しない構造となっている。紫外光を瞳に直接照射すると、角膜に炎症を起こしたり、長時間当て続けると白内障の原因になる可能性がある。このため、実施例２による光学ペン３０は、光学ペン３０の先端を蓄光シート４の表面に強く押し付けない限り、発光ダイオード３２が発光しない構成になっている。
【００４５】
実施例２の光学ペン３０は、図６及び図７（ａ），（ｂ）に示すように、光学ペン３０のスイッチ４４は、弾力的にオン・オフ動作をする可動釦を有する構造になっている。より具体的な図７（ａ），（ｂ）に示すように、発光ダイオード３２はペン本体３１に対してバネ４５で弾力的に支持される構造となり、図示はしないがペン本体３１の軸方向にスライド可能な構造になっている。
【００４６】
従って、発光ダイオード３２に外力が加わらない図７（ａ）の状態では、スイッチ４４の固定接点４６に可動接点４７が接触しない状態にあり、発光ダイオード３２は紫外光を発光しない。発光ダイオード３２に外力４８が加わる図７（ｂ）の状態では、バネ４５は撓み発光ダイオード３２はペン本体３１内部に移動（スライド）する。この結果、スイッチ４４の固定接点４６に可動接点４７が接触し、発光ダイオード３２は紫外光４９を発光する。外力４８は、ペン本体３１を把持し、発光ダイオード３２を蓄光シート４の表面に押し付けることによって発生する。
【００４７】
図８（ａ），（ｂ）は実施例２の光学ペン３０の具体的構造を示す模式図である。スイッチ４４は、タブレット体５０となり、一面に可動接点４７の外端部４７ａを突出させた構造になっている。そして、この外端部４７ａの先端面が発光ダイオード３２に接触する構造になっている。
【００４８】
発光ダイオード３２がペン本体３１の内方にスライドすると、図８（ｂ）に示すように、可動接点４７はタブレット体５０内に弾力的に沈む。外端部４７ａはタブレット体５０の内部で、図示はしないが、バネ４５に支持されている。可動接点４７がタブレット体５０内に弾力的に沈むと、スイッチ４４はオン状態となり、発光ダイオード３２から紫外光４９が発光される。図８（ａ），（ｂ）においては、スイッチ４４は配線３４の途中に配置されている。
【００４９】
実施例２による光学ペン３０は、発光ダイオード３２をペン本体３１内に押し込み動作させたときにのみ発光ダイオード３２が発光する構成になっている。従って、光表示装置１への表記の際は、発光ダイオード３２の先端を蓄光シート４に押し付けて発光ダイオード３２をペン本体３１内に押し込むようにして発光ダイオード３２を発光させて表記を行う。この結果、光学ペン３０を扱う表記者が他の人の目に向けて、あるいは自身の目（瞳）に向けて紫外光を発光させるような事故発生を防止することができる。
【実施例３】
【００５０】
図９は本発明の実施例３である光表示装置を示す斜視図、図１０は実施例３の光表示装置の一部を示す断面図である。
【００５１】
実施例３の光表示装置１は、実施例１の光表示装置１において、カバー１０の支持板２に重なる面の周縁には全周に亘って弾力性のある遮光層５５が設けられている。そして、カバー１０の閉動作時、図１０に示すように、蓄光シート４はカバー１０及び遮光層５５によって遮光されて外部の光が到達しないようになっている。
【００５２】
このように実施例３の光表示装置１は、カバー１０の内面側には遮光層５５が設けられ、カバー１０の閉動作時、蓄光シート４の表面は完全に遮光されることから、所定時間後の蓄光シート面は自己発光する部分もなく、光学ペン３０による新たな表記が可能な状態になる。
【実施例４】
【００５３】
図１１乃至図１３は本発明の実施例４である光表示装置及び光学ペンに係わる図である。図１１はケース収納型の光表示装置及び光学ペンを示す斜視図、図１２は光表示装置の断面図である。
【００５４】
実施例４の光表示装置１は、平板構造の支持板２と、支持板２の第１の面２ａに貼り付けられ、かつ紫外光を受けて発光する蓄光材を練り込んだ蓄光シート４と、支持板２を収容する遮光性材質で形成されたケース６０とからなっている。ケース６０は、一端が開口６１した薄い箱型構造となり、開口６１から箱状のケース６０内に支持板２を収容することができる。ケース６０は遮光性の材質で形成されるため、ケース６０に収容された支持板２における蓄光シート４にはケース６０の外の光は到達しない。
【００５５】
従って、支持板２ケース６０内に所定時間収容することによって、所定時間後の蓄光シート４の表面は自己発光する部分もなく、光学ペン３０による新たな表記が可能な状態になる。なお、ケース６０内に収容した支持板２が取り出し易くするために、ケース６０の開口６１には切欠き部６２が設けられ、支持板２の一部の収容がケース６０から露出するようになっている（図１２参照）。
【００５６】
図１３は実施例４の光表示装置１の使用例を示す模式図である。例えば、図１３（ａ）に示すように、看護婦６５が支持板２を収容したケース６０を片手に持ち、他の手に光学ペン３０を持って病院内を循環し、患者に検温を知らせる時、ケース６０から支持板２を取り出し、支持板２の蓄光シート４に光学ペン３０を用いて患者の名前（ＸＸ）と検温を知らせる文字を、図１３（ｂ）に示すように表記し、この表記した支持板２を患者に見えるように示すことにより、同室の他の患者に声をかけることなく静かな状況で知らせることができる。
また、実施例４の光表示装置１では、音楽が鳴り響き、あるいは沢山の人々が居て、おしゃべりの声で音声での連絡がとれない場合等にも使用できる。
【実施例５】
【００５７】
図１４は本発明の実施例５であるプラカード型の光表示装置の正面図である。実施例５の光表示装置１は、支持板２と、支持板２の第１の面に貼り付けられ、かつ紫外光を受けて発光する蓄光材を練り込んだ蓄光シート４とを有し、支持板２には柄６７が設けられたプラカード型の光表示装置１である。図示はしないが、支持板２の第１の面には白色の反射層が設けられ、この反射層上に蓄光シート４が設けられている点は、実施例１と同様である。
【００５８】
実施例５の光表示装置１は、プラカード型の光表示装置になっていることから、柄６７を持って蓄光シート４（支持板２）を高く掲げることによって集まっている多くの人々に表示を見せることができる。例えば、室内が薄暗い遊興娯楽の部屋での使用に適している。
【実施例６】
【００５９】
図１５乃至図１７は本発明の実施例６である透過型の光表示装置に係わる図である。図１５は透過型の光表示装置の正面図、図１６は透過型光表示装置の光学ペンによる表記状態を示す模式的断面図、図１７は透過型光表示装置の表記面（書く面）に表記した矢印と、表示面（見せる面）に現れた矢印を示す斜視図である。
【００６０】
実施例６の光表示装置１は、枠体からなる支持板７０と、支持板７０に周縁が貼り付けられ、かつ紫外光を受けて発光する蓄光材を練り込んだ蓄光シート４とを有する構成になっている。また、支持板７０には柄６７が取り付けられてプラカード型となっている。柄６７は枠内には延在しない構造になっている。
【００６１】
実施例６の光表示装置１は、支持板７０が枠体となっていることから、図１６に示すように、枠内の蓄光シート４部分の一面（書く面）に光学ペン３０で表記すると、その表記した文字等は蓄光シート４の裏側の面（見せる面）から見ることができる。図１７（ａ）は光学ペン３０によって蓄光シート４の一面（書く面）に表記した左端が矢となる矢印を示す図であり、図１７（ｂ）は蓄光シート４の他の面（見せる面）に表示された右端が矢となる矢印を示す図である。蓄光シート４における書く面、見せる面は特定されず、光学ペン３０で表記した蓄光シート４の表面が書く面となる。
実施例６の光表示装置１では、蓄光シート４に表記した後、蓄光シート４を裏返して表示する必要がない利便性がある。
【００６２】
以上本発明者によってなされた発明を実施形態に基づき具体的に説明したが、本発明は上記実施形態に限定されるものではなく、その要旨を逸脱しない範囲で種々変更可能であることはいうまでもない。実施例では光学ペンとして、紫外光を発光する発光ダイオードを組み込んだ例について説明したが、青色光を発光する発光ダイオードを組み込んだ光学ペンでも同様に使用でき、実施例同様の効果を有する。即ち、実施例による蓄光シートは、波長３８０ｎｍ〜４８０ｎｍ前後の光に対して蓄光し、光を受けた部分は自己発光をする。
【図面の簡単な説明】
【００６３】
【図１】本発明の実施例１である光表示装置及び光学ペンを示す模式的斜視図である。
【図２】前記光学ペンの模式的断面図である。
【図３】前記光表示装置の一部を示す斜視図である。
【図４】前記光表示装置の一部を示す断面図である。
【図５】前記光表示装置に光学ペンを用いて線を描く状態を示す斜視図である。
【図６】本発明の実施例２である光学ペンの模式的断面図である。
【図７】図６で示す光学ペンのオン・オフ動作による紫外光発光状態及び紫外光発光停止状態を示す模式図である。
【図８】図６で示す光学ペンの具体例を示す模式図である。
【図９】本発明の実施例３である光表示装置を示す斜視図である。
【図１０】実施例３の光表示装置の一部を示す断面図である。
【図１１】本発明の実施例４であるケース収納型の光表示装置及び光学ペンを示す斜視図である。
【図１２】実施例４の光表示装置の断面図である。
【図１３】実施例４の光表示装置の使用例を示す模式図である。
【図１４】本発明の実施例５であるプラカード型の光表示装置の正面図である。
【図１５】本発明の実施例６である透過型の光表示装置の正面図である。
【図１６】実施例６の透過型光表示装置の光学ペンによる表記状態を示す模式的断面図である。
【図１７】実施例６の透過型光表示装置の表記面に表記した矢印と、表示面に現れた矢印を示す斜視図である。
【符号の説明】
【００６４】
１…光表示装置、２…支持板、２ａ…第１の面、３…反射層、４…蓄光シート、５…曲線、１０…カバー、１１…蝶番、３０…光学ペン、３１…ペン本体、３２…発光ダイオード、３３…電池、３４，３５…配線、３６…スイッチ、３７…スライド釦、４０…発光部分、４４…スイッチ、４５…バネ、４６…固定接点、４７…可動接点、４７ａ…外端部、４８…外力、４９…紫外光、５０…タブレット体、５５…遮光層、６０…ケース、６１…開口、６２…切欠き部、６５…看護婦、７０…支持板。
【図１】
2007133118.tif 000003
【図２】
2007133118.tif 000004
【図３】
2007133118.tif 000005
【図４】
2007133118.tif 000006
【図５】
2007133118.tif 000007
【図６】
2007133118.tif 000008
【図７】
2007133118.tif 000009
【図８】
2007133118.tif 000010
【図９】
2007133118.tif 000011
【図１０】
2007133118.tif 000012
【図１１】
2007133118.tif 000013
【図１２】
2007133118.tif 000014
【図１３】
2007133118.tif 000015
【図１４】
2007133118.tif 000016
【図１５】
2007133118.tif 000017
【図１６】
2007133118.tif 000018
【図１７】
2007133118.tif 000019